(57)【要約】  本発明は、光ピックアップユニット（５）と、回転する光ディスクの表面に平行な実質的に半径方向に光ピックアップユニット（５）を移動させるためのガイド手段（３，４，６，７，８）とを有する光ディスクの記録及び／又は再生を行なう装置に関する。この装置に設けられた光ディスクの種類（ＣＤ，ＤＶＤ，ＢＤ）に依存して、半径方向と直角をなす平面において光ピックアップユニット（５）のチルト角を変えるための変更手段がある。
2007536695.tif 000002
【特許請求の範囲】
【請求項１】
光ピックアップユニットと、光ディスクを回転軸を中心に回転させる回転手段と、前記回転軸に対して実質的に半径方向に前記光ピックアップユニットを移動させるためのガイド手段とを有する光ディスクの記録及び／又は再生を行なう装置であって、当該装置に設けられる光ディスクの種類に依存して、前記半径方向と直角をなす平面において前記光ピックアップユニットのチルト角を変えるための変更手段がある装置。
【請求項２】
前記変更手段が、２つの予め決められた位置の各々において、前記光ピックアップユニットを保持することができる、請求項１に記載の装置。
【請求項３】
前記変更手段が、２つの予め決められた位置の間の何れの位置においても、前記光ピックアップユニットを保持することができる、請求項１又は２に記載の装置。
【請求項４】
前記光ピックアップユニットが、両方とも前記半径方向と平行に位置付けられた２つのガイドロッドによってガイドされ、前記２つのガイドロッドの一方が、回転する光ディスクの表面からより離れているロケーションと、前記回転する光ディスクの前記表面により近いロケーションとの間をフレームに対して相対的に移動されることができる、請求項１乃至３の何れか一項に記載の装置。
【請求項５】
前記２つのガイドロッドの一方が、２つの予め決められたロケーションの各々において保持されることができ、好ましくは、前記２つのロケーションの間の何れのロケーションにおいても保持されることができる、請求項４に記載の装置。
【請求項６】
前記２つのガイドロッドの一方が偏心している部分を具備し、各々の偏心している部分が、ベアリングによって前記フレーム内に支持される、請求項４又は５に記載の装置。
【請求項７】
前記２つのガイドロッドの一方が、前記フレームのヒンジ部に取り付けられ、前記変更手段が、前記フレームに対して相対的な２つ以上の位置で前記ヒンジ部を保持することができる、請求項４又は５に記載の装置。
【請求項８】
前記ガイドロッドの一方が、ウォームギアリングによって動かされることができ、ウォームが前記フレームに取り付けられ、係合するウォームホイールが、前記ロッドの偏心している部分又はヒンジ部に個々に取り付けられ、前記ウォームが、電気モータによって回転駆動される、請求項６又は７の何れか一項に記載の装置。
【請求項９】
光ピックアップユニットが、回転する光ディスクの表面と平行であって実質的に半径方向に移動されるためにガイド手段によってガイドされる、回転光ディスクによってデータを記録及び／又は再生するための方法において、装置に設けられる光ディスクの種類に依存して、変更手段が前記半径方向と直角をなす平面において前記光ピックアップユニットのチルト角を変える方法。
【発明の詳細な説明】
【技術分野】
【０００１】
本発明は、光ピックアップユニットと、装置内の光ディスクの回転軸に対して実質的に半径方向であって回転する光ディスクの表面と平行に、光ピックアップユニットを移動させるためのガイド手段とを有する光ディスクの記録及び／又は再生を行なう装置に関する。
【背景技術】
【０００２】
このような装置は、例えば、米国特許第ＵＳ−Ｂ−６４８３７９８号明細書に開示される。その米国特許明細書による装置は、光ディスクを回転自在に駆動するための（スピンドルモータを使用する）駆動システムを有し、この駆動システムはフレームに載置される。光ピックアップユニットが、２つのガイドロッドによってフレームに取り付けられるので、光ピックアップユニットは、半径方向において、回転する光ディスクの表面と平行である直線状の経路で移動されることができる。
【０００３】
この光ピックアップユニットは、情報を光ディスクに記録するように、レーザダイオードから発せられるレーザ放射を回転する光ディスク上に収束ビームで方向づけるために、対物レンズを有する。情報が再生される場合、光ビームは、光ディスクによって反射され、対物レンズを透過して光ピックアップユニット内に設けられた光検出器に到達する。それによって、前もって記録された情報が再生されることができる。
【０００４】
光ディスクの記録及び／又は再生を行なう装置では、この装置の最適な最も信頼のおける機能性を達成するために、光ディスクの表面に対して相対的な光ピックアップユニットの正確な位置が重要である。従って、回転する光ディスクの表面に沿って光プックアップユニットをガイドするための平行なガイダンスが、安定していなければならない。そのため、回転するディスクの表面に対して相対的なピックアップユニットの対物レンズの位置は、光ピックアップユニットの移動時に変わらないままである。更に、米国特許第ＵＳ−Ｂ−６４８３７９８号明細書に記載されるように、回転する光ディスクを基準とした光ピックアップユニットの位置の微調整は、装置の最良のパフォーマンスが達成されることを確実にするために、装置がアセンブルされた後に実施されることができる。
【０００５】
この装置を利用することによって、情報は、ＣＤ（コンパクトディスク）、ＤＶＤ（デジタル多用途ディスク）又はＢＤ（ブルーレイディスク）のような異なる種類の光ディスクによって、記録又は再生されることができる。全てのこれらの記録／再生システムは異なる技術を利用しているけれども、光ピックアップユニットがこれらの技術のそれぞれについて必要な構成要素を有している場合には、これらは全て、上記に説明されたものと同じ記録及び／又は再生を行なう装置に適用されることができる。
【発明の開示】
【発明が解決しようとする課題】
【０００６】
本発明の目的は、光ディスクの種類に依存してレーザビームの調節が、効果的且つ比較的簡単なやり方で達成されるような光ディスクの記録及び／又は再生を行なう装置を提供することにある。
【課題を解決するための手段】
【０００７】
この目的を達成するために、当該装置に設けられた光ディスクの種類に依存して、半径方向と直角をなす平面において光ピックアップユニットのチルト角を変えるための変更手段がある。本発明による装置は、請求項１に規定される。適用された新たな方策のため、光ピックアップユニットは、半径方向に平行な軸の周りにビット（bit）をヒンジ結合することができ、それによって、そのチルト角が変わる。この調節は、光ディスクの記録及び／又は再生を行なう装置の動作中に行なわれることができる。実際には、これは、光の問題を解決する簡単な機械的な解決策である。
【０００８】
種々の異なる種類の光ディスクが使用される場合、特に、情報が回転する光ディスク上に記録される場合、接線方向の平面でディスクの表面と対物レンズとの間の角度を僅かに調節すること（即ち、半径方向に向けられた軸を中心に回転させること）により、装置の機能性を改善し得ることが分かった。このような調節は僅かであり、例えば、３×１０−３ラジアンを下回り、各々の光ディスクシステムに対する最適な角度は、実験により容易に決定されることができる。光ディスクの各種類について装置の最適な最も信頼できる機能性は、光ディスクの各種類ごとの光ディスクの表面に対して相対的な対物レンズの異なる角度により達成される。
【０００９】
好ましい実施形態において、上記の変更手段は、２つの予め決められた位置の各々に光ピックアップユニットを保持することができ、好ましくは、この変更手段は、２つの予め決められた位置の間の何れの位置においても光ピックアップユニットを保持することができる。チルト角はある時間固定されることもできるが、この装置は、サーボ機構によってチルト角を制御することにより、光ピックアップユニットを最適な位置に継続的に保持するための制御手段を有することもできる。
【００１０】
好ましい実施形態では、光ディスクの記録及び／再生を行なう装置は、両方とも半径方向と平行に位置付けられた２つのガイドロッドによってガイドされる光ピックアップユニットを備えており、動いているガイドロッドは、光ディスクの表面と平行なまま、２つのガイドロッドの一方が、回転する光ディスクの表面からより離れているロケーションと、回転する光ディスクの表面により近いロケーションとの間をフレームに対して相対的に移動されることができる。２つのガイドロッドの間の距離が比較的大きいので、チルト角は、一方のガイドロッドを比較的大きく移動させることによって正確に調整されることができる。
【００１１】
好ましくは、２つのガイドロッドの一方が、２つ又は３つの予め決められたロケーションの各々において保持されることができ、より好ましくは、ガイドロッドの位置が、チルト角を継続的にその最良の値に調節するように、サーボ機構によって制御されることができるので、２つのガイドロッドの一方は、２つのロケーションの間の何れのロケーションにおいても保持されることができる。
【００１２】
移動することができない他方のガイドロッドは、光ピックアップユニットを半径方向の直線状の経路でガイドし、それによって、２つの次元の動きのみがオープンなだけである。即ち、半径方向における線形の並進運動と、半径方向に平行な軸を中心とした回転の動きである。それによって、回転の動きは、一方のガイドロッドにより制限され、光ピックアップユニットは、ガイドロッドの円柱周面における２つのスポットでのみ、当該一方のガイドロッドを係合すれば十分である。係合部材は、２つのガイドロッド間の距離の変動を可能にするように設計されることができるので、以下の実施形態が可能である。
【００１３】
好ましい実施形態では、２つのガイドロッドの一方が、相互に同軸の偏心している部分を具備し、各々の偏心している部分は、ベアリングによってフレーム内で支持される。それによって、ガイドロッドの移動は、２つの偏心しているベアリングの軸を中心としてガイドロッドを回転することにより達成され得る。好ましくは、ベアリングは、ガイドロッドの端部に又は端部の近傍に置かれる。
【００１４】
他の好ましい実施形態では、２つのガイドロッドの一方が、フレームのヒンジ部に取り付けられ、光ピックアップユニットのチルト角を変えるための変更手段が、フレームに対して相対的な２つ以上の位置においてヒンジ部を保持することができる。
【００１５】
好ましくは、ガイドロッドの一方が、ウォームギアリングによって動かされることができ、ウォームがフレームに取り付けられ、係合するウォームホイールが、ロッドの偏心している部分（即ち、ロッドのベアリングと比較して同軸の部分）又はヒンジ部にそれぞれ取り付けられ、ウォームは電気モータによって回転駆動される。それによって、ガイドロッドの位置は、無限に、必要に応じて継続的に変動されることができる。
【００１６】
更に、本発明は、光ピックアップユニットが、実質的に半径方向であって回転する光ディスクの表面と平行に移動されるためにガイド手段によってガイドされる、回転光ディスクによってデータを記録及び／又は再生するための方法において、装置に設けられた光ディスクの種類に依存して、変更手段が、半径方向と直角をなす平面において光ピックアップユニットのチルト角を変える方法にも関する。
【００１７】
本発明は、光ピックアップユニットと、この光ピックアップユニットを実質的に半径方向に移動させるためのガイド手段とを有する光ディスクの記録及び再生を行なう装置の２つの実施形態を説明することによって、以下に詳細に説明される。それに関して、光ディスクの記録／再生を行なう装置の一部を単に概略的に示す図面を有する図を参照されたい。
【発明を実施するための最良の形態】
【００１８】
図１は、光ディスク（図示略）が取り付けられることができるターンテーブルとも呼ばれる回転テーブル２を備えるフレーム１を示す。ターンテーブル２は、回転軸２ａの周りを回転可能である。更に、このフレームは、第１のガイドロッド３及び第２のガイドロッド４を有し、これらのガイドロッドの両方ともが、円筒形の外側周面をもつ。ガイドロッド３は、フレーム１に両端で固定されている。光ピックアップユニット５は、互いに隔てられた２つのベアリング６及び７によってガイドロッド３と係合する。そのため、光ピックアップユニット５は、ガイドロッド３に沿って、即ち、ガイドロッド３の軸の方向に滑動することができる。それによって、光ピックアップユニット５の中央部は、回転テーブル２に対して半径方向に動く。収束レーザビームを発する対物レンズ（図示略）は、この中央部にあり、このレーザビームは、回転テーブル２に取り付けられる光ディスク（図示略）に当たることができる。光ピックアップユニット５を半径方向に動かすことによって、レーザビームは、光ディスクの表面の所望領域に到達することができ、それにより、このレーザビームが、その表面に対して実質的に垂直に方向づけられる。
【００１９】
第２のガイドロッド４は、一つのベアリング８によって光ピックアップユニット５と係合されるので、光ピックアップユニット５は、一つの動きしか行なうことができない。この動きとは、摺動動作であり、これは、光ピックアップユニット５の対物レンズが、回転する光ディスクの表面と平行な半径方向に直線状の経路で動かされる動きである。光ピックアップユニット５をその半径方向に向けられた直線状の経路に沿って駆動させるための手段は、これらの図には示されていない。このような手段は、ウォームギアシステム又は線形の動きを提供することができるいかなる他の駆動機構であってもよい。
【００２０】
半径方向と直角をなす平面において光ピックアップユニット５のチルト角を変えるために、光ピックアップユニット５は、第１のガイドロッド３の周りを回転することができる。このような回転は、第２のガイドロッド４をその軸に対して垂直な方向に移動させることによって達成される。従って、第２のガイドロッド４の両端部９及び１０は、第２のガイドロッド４の中央部に対して偏心的に位置付けられる。これらの偏心している端部９，１０は、２つの同軸ベアリング１１，１２によってフレーム１内で支持されるので、第２のガイドロッド４の軸は、２つのベアリング１１，１２の軸からやや離れて位置付けられる。これらの偏心している端部９，１０を回転させることにより、第２のガイドロッド４がその軸に対して垂直な方向に移動することがもたらされ、それによって、光ピックアップユニット５のチルト角が変わる。
【００２１】
第２のガイドロッド４が回転する場合、その第２のガイドロッド４の移動は、直線路での動きではなく、ベアリング１１，１２の軸の周りの円形路の動きである。従って、ベアリング８は、光ピックアップユニット５に対して第２のガイドロッド４の軸の相対的な動きを可能にしなければならない。
【００２２】
図２は、第２のガイドロッド４を移動させるための手段をより詳細に示す。フレーム１はウォーム１３を備え、このウォーム１３が、第２のガイドロッド４の偏心している部分９においてウォームホイール１４と係合する。ウォーム１３は、電気モータ（図示略）で駆動され、これにより、ウォーム１３の比較的高速な回転が、ウォームホイール１４のより一層低速な回転となり、それとともに第２のガイドロッド４の移動がもたらされる。光ピックアップユニット５に取り付けられるベアリング８は、第２のガイドロッド４を、第２のガイドロッド４の円筒周面の（図１及び図２における）後方側で固定されたフラットな係合面に係合するとともに、この円筒周面の前方側でばね部材１５にも係合しており、このばね部材１５が、第２のガイドロッド４を前記フラットな係合面に押し付ける。従って、第２のガイドロッド４は、光ピックアップユニット５に対してフラットな係合面と平行な方向に動くことができる。
【００２３】
図３及び図４は、光ディスクの記録及び再生を行なう装置の第２の実施形態の一部を示す。図３は、光ディスク（図示略）を保持するための回転テーブル２２を備えたフレーム２１を示す。光ピックアップユニット２３が、回転テーブル２２に対して半径方向に動くことができるので、光ピックアップユニット２３の中央部の対物レンズ（図示略）は、半径方向に向く経路で回転する光ディスクの表面に沿って動く。
【００２４】
更に、フレーム２１は、第１のガイドロッド２４を備えている。第１のガイドロッド２４の端部は、フレーム２１に固定され、その軸は、半径方向に平行に向けられている。光ピックアップユニット２３は、双方ともが光ピックアップユニット２３に取り付けられた２つの同軸ベアリング２５，２６によって第１のガイドロッド２４と係合する。従って、フレーム２１に対して相対的に、光ピックアップユニット２３は、前記半径方向に平行な線形の並進運動、及び第１のガイドロッド２４の軸を中心とした回転の動きのみを行なうことができる。
【００２５】
更に、光ピックアップユニット２３は、ベアリング２８によって第２のガイドロッド２７とも係合する。第２のガイドロッド２７の両端は、フレーム２１のヒンジ部２９に固定されている。ヒンジ部２９は、２つのヒンジ３０，３１によってフレーム２１の残余部に接続され、そのため、前記半径方向に平行なヒンジ軸の周りを旋回することができる。フレーム２１の残余部に対して相対的なヒンジ部２９の動きは、第２のガイドロッド２７の軸に対して垂直な方向における第２のガイドロッド２７の移動を提供する。第２のガイドロッド２７のこの移動により、第１のガイドロッド２４の周りに光ピックアップユニット２３の回転の動きがもたらされ、それによって、回転する光ディスクの表面に対する光ピックアップユニット２３のチルト角の変化がもたらされる。
【００２６】
ヒンジ部２９の動きを駆動させるための手段が、図４に示される。図４は、フレーム２１の下方部を示す。フレーム２１のこの下方部は、フレーム２１の下方部に平行である直線状の経路で動かされることができる駆動エレメント３２を有し、このエレメントは、フレーム２１に取り付けられた２つのガイドピン３３によってガイドされ、これらのピン３３は、駆動エレメント３２のスロット３４を通って延在する。駆動エレメント３２は、ギアホイール３６によって係合されるラック３５を担持している。このギアホイール３６は、回転速度の減少を提供するための複数の他のギアホイールを介してフレーム２１の上方部にある電気モータ３７（図３）で駆動される。
【００２７】
ヒンジ部２９の２つの突出部３８は、駆動エレメント３２の２つの傾いたスロット３９に達するので、駆動エレメント３２の線形にシフトする動きにより、ヒンジ部２９の回転がもたらされる。それゆえ、電気モータ３７によって駆動エレメント３２を動かすことにより、ヒンジ部２９は、ヒンジ３０，３１のヒンジ軸の周りを回転する。ヒンジ部２９の回転により、第２のガイドロッド２７の移動が生じ、第１のガイドロッド２４の周りに光ピックアップユニット２３の回転がもたらされる。
【００２８】
上記に説明された光ディスク記録及び再生を行なう装置の２つの実施形態は、単に例証であり、他の実施形態も可能である。
【図面の簡単な説明】
【００２９】
【図１】装置の第１の実施形態を示す図である。
【図２】第１の実施形態の詳細を示す図である。
【図３】装置の第２の実施形態を示す図である。
【図４】第２の実施形態の下方側部の詳細を示す図である。
【図１】
2007536695.tif 000003
【図２】
2007536695.tif 000004
【図３】
2007536695.tif 000005
【図４】
2007536695.tif 000006
【国際調査報告】
2007536695.tif 000007
2007536695.tif 000008
2007536695.tif 000009